(57)【要約】【課題】板状電気連接部材定位構造を有する高透光発光ブロック及びその組み立て方法を提供する。【解決手段】板状電気連接部材定位構造を有する高透光発光ブロック及びその組み立て方法は、頂蓋５０内面に設置する間隔を開けて配列する多数の突片５４を利用する。並列して設置される突片５４間は複数の挿槽５４１を構成し、これにより板状の電気連接部材３０は挿槽５４１中に挿入して設置されることで初期的な定位が行われ、電気連接部材３０の弾片３２と頂蓋５０の中空楔柱５１１とは挿槽５４１の設置により相互に位置が対応する。これにより弾片３２は中空楔柱５１１との位置のずれにより頂蓋５０の内部に制限されず、弾片３２は中空楔柱５１１を正確に通過し頂蓋５０の外部に突出し、しかも２個の高透光発光ブロックを相互に重ねる時には、堅固な電力通路を構築でき、いっしょに通電して発光する。【選択図】図１
2017119084.tif 000002
【特許請求の範囲】
【請求項１】
板状電気連接部材定位構造を有する高透光発光ブロックであって、底台、頂蓋、回路基板、少なくとも１個の発光パーツを有し、
該底台上には、少なくとも２個の楔孔を開設し、
該頂蓋は、中空透光体で、該頂蓋は該底台の頂側に蓋をし、該頂蓋は、頂部、側部及び底部開口を有し、
該頂部には、少なくとも２個の中空楔柱を形成し、該中空楔柱と該楔孔とは位置が相互に対応し、
該側部は、該頂部の周縁より該底台方向へと延伸し、該底台の周縁と相互に固定され、しかも該側部の少なくとも１個の内側面には、複数の突片を設置し、該突片は、該側部の内側面より、該頂蓋の中心方向へと突出し、しかも間隔を開けて配列、設置され、該突片間には、間隔を開けて配列する挿槽を形成し、
該底部開口は、該側部より取り囲んで成形され、
該回路基板は、該底台の頂側に設置され、該回路基板は、少なくとも１個の電極回路を有し、該電極回路は、該回路基板の該底台に向かう片側に設置され、該電極回路と該楔孔とは、位置が相互に対応し、該電極回路と、該頂蓋に向かう方向へと延伸して設置される少なくとも１個の電気連接部材とは、電気的に連接し、該電気連接部材は、板状構造で、該電気連接部材は、突出部、少なくとも２個の弾片及び連接部を有し、
該突出部は、両端を有し、該突出部の両端の内の一端と該電極回路とは電気的に連接し、該突出部の両端の反対端と該連接部とは、相互に連接し、しかも該電気連接部材の突出部は、該挿槽中に挿入して設置され、
該弾片は、該中空楔柱にそれぞれ突出し、
該連接部は、該突出部及び該弾片を連接し、
少なくとも１個の発光パーツは、該回路基板上に取り付けられることを特徴とする板状電気連接部材定位構造を有する高透光発光ブロック。
【請求項２】
前記連接部の該頂部に向かう片側には、少なくとも１個の凸片を設置し、
該頂部の該電気連接部材に向かう片側には、少なくとも１個の係合槽を陥没状に設置し、
該凸片と該係合槽とは、位置が相互に対応し、しかも相互に係合して固定されることを特徴とする請求項１に記載の板状電気連接部材定位構造を有する高透光発光ブロック。
【請求項３】
前記係合槽内には、凹孔を設置し、
該凸片の該頂部に向かう片側には、突点を設置し、
該凹孔と該突点とは、位置が相互に対応し、しかも相互に係合して固定されることを特徴とする請求項２に記載の板状電気連接部材定位構造を有する高透光発光ブロック。
【請求項４】
前記電気連接部材の突出部、弾片及び連接部は、一体成形の板状構造であることを特徴とする請求項１に記載の板状電気連接部材定位構造を有する高透光発光ブロック。
【請求項５】
前記弾片と連接部とは、一体成形の板状構造で、
該突出部の該連接部に向かう一端には、クリップデバイスを設置し、
該クリップデバイスと該連接部とは、取り外し可能状に挟持して連接されることを特徴とする請求項１に記載の板状電気連接部材定位構造を有する高透光発光ブロック。
【請求項６】
前記突出部と該電極回路とが電気的に連接する一端には、屈折セクションを形成し、
該屈折セクションは、該回路基板の延伸方向へと屈折して密着することを特徴とする請求項１に記載の板状電気連接部材定位構造を有する高透光発光ブロック。
【請求項７】
前記屈折セクションの該回路基板に向かう片側には、第一凸点を設置し、しかも該第一凸点と該電極回路とは、相互に接触し、
該屈折セクションの該底台に向かう片側には、第二凸点を設置し、
該第二凸点と該底台とは、相互に接触することを特徴とする請求項６に記載の板状電気連接部材定位構造を有する高透光発光ブロック。
【請求項８】
前記底台の周縁には、複数の欠槽を設置し、該各欠槽中には係合部材をそれぞれ突出状に設置し、
該頂蓋の側部内面の該底台に向かう片側には、複数の凸ブロックを設置し、該各凸ブロック中には、係合槽をそれぞれ陥没状に設置し、
該係合部材と該係合槽とは位置が対応し、しかも相互に係合して固定されることを特徴とする請求項１に記載の板状電気連接部材定位構造を有する高透光発光ブロック。
【請求項９】
請求項１に記載の板状電気連接部材定位構造を有する高透光発光ブロックの組み立て方法は、以下を含み、
電気連接部材を挿入設置し、該電気連接部材の突出部は、該頂蓋の底部開口より、該頂蓋の側部の挿槽の延伸方向に沿って、該頂蓋の頂部へと挿入して設置され、該頂蓋の内部に進入し、しかもこれにより該電気連接部材の弾片は、該頂蓋の中空楔柱に突出し、
回路基板を取り付け、該回路基板を、該底部開口より、該頂蓋の内部に取り付け、しかもこれにより該回路基板上の少なくとも１個の電極回路と該突出部の一端とは、相互に接触し、導電通路を形成し、
底台を取り付け、該底台を、該底部開口より、該底部開口の内縁に取り付けることを特徴とする板状電気連接部材定位構造を有する高透光発光ブロックの組み立て方法。
【請求項１０】
請求項２に記載の板状電気連接部材定位構造を有する高透光発光ブロックの組み立て方法は、以下を含み、
電気連接部材を挿入設置し、該電気連接部材の突出部は、該頂蓋の頂蓋底部開口より、該頂蓋の側部の挿槽の延伸方向に沿って、該頂蓋の頂部へと挿入して設置され、該頂蓋の内部に進入し、しかもこれにより該電気連接部材の該凸片は、該頂蓋の該係合槽中に挿入して設置され、該電気連接部材と該頂蓋とは、相互に係合して固定され、しかもこれにより該弾片は、該頂蓋の中空楔柱に安定的に突出し、
回路基板を取り付け、該回路基板を、該底部開口より、該頂蓋の内部に取り付け、しかもこれにより該回路基板上の少なくとも１個の電極回路と該突出部の一端とは、相互に接触し、導電通路を形成し、
底台を取り付け、該底台を、該底部開口より、該頂蓋底部開口の内縁に取り付けることを特徴とする板状電気連接部材定位構造を有する高透光発光ブロックの組み立て方法。
【発明の詳細な説明】
【技術分野】
【０００１】
本発明は板状電気連接部材定位構造を有する高透光発光ブロックに関し、特に高透光発光ブロックの内部に板状電気連接部材定位構造を設置し、これにより板状電気連接部材は効果的に定位され、しかもブロック本体の外部に突出する高透光発光ブロックに関する。
【背景技術】
【０００２】
従来の技術の高透光発光ブロックは、特許文献１及び図１１、図１２に示す。それは、底台９０、回路基板１００、発光パーツ１１０、頂蓋１２０、板状の電気連接部材１３０を有する。
底台９０上には、楔孔９１を開設する。
回路基板１００上には、導電回路及び発光パーツ１１０を設置する。
頂蓋１２０は、底台９０上の中空透光体に蓋をする。頂蓋１２０上には、底台９０上の楔孔９１と位置が相互に対応する中空楔柱１２１を開設する。
板状の電気連接部材１３０の一端と回路基板１００上の導電回路とは、電気的に連接し、反対端は延伸して中空楔柱１２１に突出する。しかも、頂蓋１２０上には、もう一個の高透光発光ブロックを設置でき、板状の電気連接部材１３０はもう一個の高透光発光ブロックの楔孔９１中に進入し、しかもその回路基板１００底部と相互に接触し、別の高透光発光ブロックに導電する。こうして、相互に並んで設置される高透光発光ブロックはいっしょに発光する。
【０００３】
しかし、従来の技術の高透光発光ブロックは組み立て時に、回路基板１００の一端に対して、板状の電気連接部材１３０を、頂蓋１２０の中空楔柱１２１と正確に対応させられないため、板状の電気連接部材１３０が頂蓋１２０の内部に圧迫される状況がしばしば起きている。これにより、板状の電気連接部材１３０は、中空楔柱１２１に突出できず、相互に並んで設置される高透光発光ブロック間は、電気エネルギーをスムーズに伝送できず、いっしょに発光できないという問題がある。
【先行技術文献】
【特許文献】
【０００４】
【特許文献１】中国特許第ＣＮ１０４５８７６８３Ａ号明細書
【発明の概要】
【発明が解決しようとする課題】
【０００５】
本発明は、電気連接部材が圧迫されて頂蓋内部に限定され、中空楔柱に突出できない状況の発生を防止可能で、これにより板状の電気連接部材は頂蓋の中空楔柱と正確に位置合わせが可能で、板状の電気連接部材は中空楔柱に突出し、こうして板状の電気連接部材と並んで設置されるもう一個の高透光発光ブロックの回路基板と電気的に連接し、並んで設置される高透光発光ブロックは以いっしょに発光できる板状電気連接部材定位構造を有する高透光発光ブロック及びその組み立て方法に関する。
【課題を解決するための手段】
【０００６】
本発明による板状電気連接部材定位構造を有する高透光発光ブロックは、底台、頂蓋、回路基板、少なくとも１個の発光パーツを有する。
該底台上には、少なくとも２個の楔孔を開設する。
該頂蓋は、中空透光体で、該頂蓋は、該底台の頂側に蓋をし、該頂蓋は、頂部、側部及び底部開口を有する。
該頂部には、少なくとも２個の中空楔柱を形成し、該中空楔柱と該２個の楔孔とは、位置が相互に対応する。
該側部は、頂部周縁から底台方向へと延伸し、該底台周縁相と相互に固定され、しかも該側部の少なくとも１個の内側面には、複数の突片を設置し、該複数の突片は該側部の内面から頂蓋の中心方向へと突出し、しかも間隔を開けて配列、設置され、該複数の突片間は、間隔を開けて配列され挿槽を形成する。
該底部開口は、該側部から取り囲んで成形される。
回路基板は、該底台の頂側に設置し、該回路基板は、少なくとも１個の電極回路を有し、該電極回路は、回路基板の該底台に向かった片側に設置され、該電極回路と該底台上の楔孔位置は相互に対応する。
該電極回路は、頂蓋方向に向かって延伸して設置する少なくとも１個の電気連接部材と電気的に連接し、該電気連接部材は、板状構造で、電気連接部材は、突出部、少なくとも２個の弾片及び連接部を有する。
該突出部は、両端を有し、該突出部の両端の内の一端と電極回路とは電気的に連接し、該突出部の両端の反対端と連接部とは、相互に連接し、しかも電気連接部材の突出部は、該挿槽中に挿入して設置される。
該弾片はそれぞれ中空楔柱に突出する。
該連接部は、突出部及び少なくとも２個の弾片に連接する。
該少なくとも１個の発光パーツは、回路基板上に取り付けられる。
【０００７】
本発明は、板状の電気連接部材の突出部を、頂蓋の側部内面に、複数の突片を、間隔を開けて配列して形成する挿槽中に挿入して設置することで、電気連接部材の弾片と頂蓋の中空楔柱との正確な相互位置対応を効果的に助け、これにより弾片は電気連接部材と挿槽の相互挿入により確実に設置され、こうして弾片は中空楔柱に正確に通して設置され頂蓋の外部に突出し、弾片と中空楔柱との位置のずれにより、弾片が圧迫されて頂蓋内部に制限され、弾片が中空楔柱に突出できず、相互に重ねられた高透光発光ブロック間の電力伝送に影響を及ぼすことを回避できる。
【０００８】
好ましくは、本発明による電気連接部材の連接部の頂蓋の頂部に向かう片側には、少なくとも１個の凸片を設置し、凸片の頂部に向かう片側には、突点を設置する。
該頂蓋の頂部の電気連接部材に向かう片側には、少なくとも１個の係合槽を陥没状に設置し、該係合槽内には、凹孔を設置する。
凸片と係合槽の位置と形状は相互に対応し、しかも電気連接部材と頂蓋とは、凹孔と突点との相対設置により、相互に係合して固定される。
この技術手段はさらに、頂蓋の係合槽中の凹孔及び電気連接部材の凸片の突点設置を利用し、電気連接部材と頂蓋との間は、頂蓋の挿槽による定位の他に、相互に係合して固定され、これにより電気連接部材の弾片が重力により回路基板の方向へと下垂し、中空楔柱に突出できないという状況の発生を回避でき、しかも２個の高透光発光ブロックを相互に重ねると、下方に位置する高透光発光ブロックは中空楔柱の弾片に突出し、頂蓋の係合槽の凹孔により、電気連接部材の凸片の突点と係合して固定され、上方に位置する高透光発光ブロックの回路基板は圧迫されて、下方へと過度に内縮することはなく、下方の高透光発光ブロックの弾片と上方の高透光発光ブロックの電極回路との相互接触と電気的連接を確保でき、２個の相互に重ねられた高透光発光ブロックの相互間は回路のショートが発生せず、２個の高透光発光ブロックの発光機能に影響が及ぶことはない。
【０００９】
さらに好ましくは、本発明による電気連接部材の突出部、弾片及び連接部は、一体成形の板状構造である。
この技術手段は、一体成形の板状の電気連接部材を設置することで、電気連接部材は、一体成形のプレス成形方式により、強靭な剛性を備え、組み立て時に湾曲や変形がしにくく、しかも板状の構造設置により、頂蓋内側の挿槽中に挿入して設置しやすく、これにより電気連接部材定位の目的を達成する。
【００１０】
さらに好ましくは、本発明による電気連接部材の弾片と連接部とは、一体成形の板状構造である。
突出部の連接部に向かった一端には、クリップデバイスを設置し、該クリップデバイスと連接部とは、取り外し可能状に挟持して連接され、しかも突出部上には、複数の上方接触部材を設置し、上方接触部材は、突出部から離れる方向へと延伸して、突出部に突出し、しかも上方接触部材と挿槽とは、相互に接触する。
この技術手段は、電気連接部材の二段式構造設置を利用し、電気連接部材はプレス成形時に該弾片と連接部の一体成形部分及び突出部をそれぞれ独立して成形し、生産効率を高め、材料消費を減らすことができる。
この他、突出部上の上方接触部材の設置により、二段式電気連接部材の挿槽中への固定を滑り落ちにくくできる。
【００１１】
またさらに好ましくは、本発明による電気連接部材の突出部と電極回路との相互に接触する一端には、屈折セクションを形成し、該屈折セクションは、回路基板に向かい屈折して密着する。
該屈折セクションの回路基板に向かった片側には、第一凸点を設置し、しかも該第一凸点と該電極回路とは、相互に接触する。
該屈折セクションの該底台に向かった片側には、第二凸点を設置し、該第二凸点と該底台とは相互に接触する。
この技術手段は、底台を利用し、頂蓋の底部開口から回路基板方向へと取り付けると、電気連接部材の屈折セクションは、底台と回路基板との間に挟んで設置される。しかも、第一凸点と第二凸点の設置により、底台を取り付けると、第二凸点を圧迫でき、こうして屈折セクションの第一凸点は回路基板上の電極回路と確実に相互に接触でき、板状電気連接部材定位構造を有する高透光発光ブロックが、製造過程において、任意の部位或いは構造に生じるサイズ公差により、電気連接部材の屈折セクションが回路基板上の電極回路と相互に接触できず、電気的導通が形成できず、製品の導電性及び歩留りに影響が及ぶことを回避できる。
【００１２】
最も好ましくは、本発明による該底台の周縁には、複数の欠槽を設置し、各欠槽中には、係合部材をそれぞれ突出状に設置する。
該頂蓋の側部内面の該底台に向かった片側には、複数の凸ブロックを設置し、該各凸ブロック中には、係合槽をそれぞれ陥没状に設置し、係合部材と係合槽とは、位置が相互に対応し、しかも相互に係合して固定される。
この技術手段は、底台の係合部材と頂蓋の係合槽の形状、位置が相互に対応することを利用し、底台と頂蓋との組合せ構造強度を強化し、これにより底台と頂蓋とは分離しにくくなり、高透光発光ブロックの落下後の解体や損壊を防止できる。
【００１３】
最も好ましくは、本発明による該回路基板上には、少なくとも１個の定位孔を開設し、該底台の回路基板に向かった片側には、少なくとも１個の定位柱を突出状に設置し、定位孔と定位柱とは位置が相互に対応し、しかも相互に通して固定される。
この技術手段は、底台上の定位柱が回路基板上の定位孔を通過することを利用し、底台と回路基板とは相互に位置が対応して固定され、回路基板がブロック中で揺れ動くことを防止できる。
【００１４】
本発明は板状電気連接部材定位構造を有する高透光発光ブロックの組み立て方法を提供する。該方法は、以下のステップを含む。
電気連接部材を挿入設置する。電気連接部材の突出部を、該頂蓋の底部開口から該頂蓋の側部の挿槽の延伸方向に沿って、該頂蓋の頂蓋頂部へと挿入して設置し、頂蓋内部へと進入させ、しかもこれにより電気連接部材の弾片は、頂蓋の中空楔柱に突出する。
回路基板を取り付ける。回路基板を、該頂蓋の底部開口から頂蓋の内部に挿入して取り付け、しかもこれにより回路基板上の少なくとも１個の電極回路と電気連接部材の突出部の一端とは、相互に接触し、導電通路を形成する。
底台を取り付ける。底台を、該頂蓋の底部開口から該頂蓋の底部開口の内縁に取り付ける。
【００１５】
従来の技術と比べると、本発明方法の長所は、板状の電気連接部材の突出部を先に頂蓋の側部内面の挿槽中に挿入して設置することで、電気連接部材の弾片と頂蓋の中空楔柱との正確な相互位置対応を助け、これにより弾片は確実に、電気連接部材と挿槽の相互挿入設置により、中空楔柱を通過し、頂蓋の外部に突出し、しかも続く回路基板及び底台の取り付けを利用し、電気連接部材は頂蓋の内部に封鎖され、しかも相互に重ねられ、しかもいっしょに発光する板状電気連接部材定位構造を有する高透光発光ブロックを組み立てて形成できる。
【００１６】
好ましくは、本発明による板状電気連接部材定位構造を有する高透光発光ブロックの少なくとも１個の電気連接部材の連接部の頂蓋の頂部に向かう片側には、少なくとも１個の凸片を設置する。
該頂蓋の頂部の少なくとも１個の電気連接部材に向かう片側には、少なくとも１個の係合槽を陥没状に設置する。
凸片と係合槽の位置と形状は相互に対応し、しかも電気連接部材と頂蓋とは、凸片と係合槽の相対設置により、相互に係合して固定される。
その組み立て方法は、電気連接部材の凸片を頂蓋の係合槽中に挿入して設置することで、電気連接部材と頂蓋とは相互に位置が対応して係合固定され、しかも弾片は頂蓋の中空楔柱に安定的に突出する。
この技術手段はさらに、電気連接部材の凸片を頂蓋の係合槽中に係合することで、電気連接部材と頂蓋間は、頂蓋の挿槽に定位する他に、相互に係合固定され、こうして各弾片の中空楔柱への突出を確保し、こうして相互に重ねられた２個の高透光発光ブロック相互間は、回路のショートが生じず、２個の高透光発光ブロックの発光機能に影響が及ぶことはない。
【発明の効果】
【００１７】
本発明の板状電気連接部材定位構造を有する高透光発光ブロック及びその組み立て方法により、２個の高透光発光ブロックを相互に重ねる時には、堅固な電力通路を構築でき、いっしょに通電して発光する。
【図面の簡単な説明】
【００１８】
【図１】本発明による板状電気連接部材定位構造を有する高透光発光ブロックの立体外観図である。
【図２】本発明による板状電気連接部材定位構造を有する高透光発光ブロックの側視断面図である。
【図３】本発明による板状電気連接部材定位構造を有する高透光発光ブロックの立体分解図である。
【図４】本発明による板状電気連接部材定位構造を有する高透光発光ブロックに底台を未設置の様子を示す立体底視図である。
【図５】本発明による板状電気連接部材定位構造を有する高透光発光ブロックに底台を設置する様子を示す平面底視図である。
【図６】本発明による板状電気連接部材定位構造を有する高透光発光ブロックの板状電気連接部材と回路基板及び底台とが相互に係合する状態を示す局部拡大模式図である。
【図７】本発明による二段式板状電気連接部材定位構造を有する高透光発光ブロックの側視断面図である。
【図８】本発明による二段式板状電気連接部材定位構造を有する高透光発光ブロックの立体分解図である。
【図９】本発明による二段式板状電気連接部材と挿槽とが相互に係合して挿入設置される様子を示す側視断面図である。
【図１０】本発明による板状電気連接部材定位構造を有する高透光発光ブロックの組み立てフローチャートである。
【図１１】従来の技術による高透光発光ブロックの立体外観図である。
【図１２】従来の技術による高透光発光ブロックの側視断面図である。
【発明を実施するための形態】
【００１９】
図１〜図４に示す通り、本発明による板状電気連接部材定位構造を有する高透光発光ブロック包括は、底台１０、回路基板２０、多数の電気連接部材３０、発光パーツ４０及び頂蓋５０を有する。
【００２０】
底台１０は、矩形板体構造である。底台１０は、底台頂面１１と底台底面１２を有する。底台１０の底台頂面１１と底台底面１２との間には、二列配列を呈し、しかも各列４個が間隔を開けて設置される８個の楔孔１３を開設する。二列配列の楔孔１３間には、２個の定位柱１４を突出状に設置する。２個の定位柱１４は、底台１０の底台頂面１１よりそれぞれ底台１０から離れる方向へと延伸して突出する。底台１０の周縁には、複数の欠槽１５を設置し、各欠槽１５中の、底台１０の底台頂面１１に近い片側には、係合部材１５１をそれぞれ突出状に設置する。
【００２１】
回路基板２０は、底台１０の底台頂面１１上方に設置される。回路基板２０上には、ＬＥＤ取り付け孔２１及び２個の定位孔２２を開設する。２個の定位孔２２と底台１０上の２個の定位柱１４とは、位置が相互に対応し、しかも２個の定位柱１４は２個の定位孔２２をそれぞれ通過し、底台１０と回路基板２０との位置を対応させて固定する。別に図４に示す通り、回路基板２０の底台１０に向かった面にはさらに電極回路２３を設置する。電極回路２３の配列図形と底台１０の８個の楔孔１３とは、位置が相互に対応する。
【００２２】
電極回路２３の両端には、底台１０から離れる方向へと延伸して設置される電気連接部材３０をそれぞれ連接する。電気連接部材３０は、一体成形の薄形板状構造である。電気連接部材３０は、突出部３１、４個の弾片３２及び連接部３３を有する。連接部３３一端には、突出部３１と４個の弾片３２を連接する。突出部３１の連接部３３に相対する反対端には、屈折セクション３１１を形成する。屈折セクション３１１は、回路基板２０に向かい屈折し、しかも回路基板２０の、底台１０に向かう電極回路２３の一端に密着する。これにより、電極回路２３と屈折セクション３１１とは、相互に接触し、しかもこれにより電極回路２３と電気連接部材３０とは、相互に電気的に連接する。
【００２３】
発光パーツ４０は、回路基板２０の電極回路２３上に取り付けられる。しかも、発光パーツ４０と回路基板２０上のＬＥＤ取り付け孔２１とは、位置が相互に対応する。これにより、発光パーツ４０は、頂蓋５０を照射する面積を拡大する。
頂蓋５０は、中空透光体で、頂蓋５０は、底台１０、回路基板２０と電気連接部材３０の頂側を覆って蓋をする。頂蓋５０は、頂部５１、側部５２及び底部開口５３を有する。頂部５１には、８個の中空楔柱５１１を形成する。８個の中空楔柱５１１と底台１０の８個の楔孔１３及び電気連接部材３０の弾片３２とは、位置が相互に対応する。しかもこれにより、弾片３２は、中空楔柱５１１を経て、頂蓋５０の内部から中空楔柱５１１へと突出し、頂蓋５０の外部へと延伸する。
【００２４】
各中空楔柱５１１は、頂部５１から離れた片側に向かい、２個の長孔５１１Ａをそれぞれ開設する。２個の長孔５１１Ａは、電気連接部材３０の弾片３２とそれぞれ位置が相互に対応する。これにより、弾片３２は、長孔５１１Ａに突出し、本発明の高透光発光ブロックを積み重ねると、さらに相互に重なる高透光発光ブロックの回路基板２０上の電極回路２３と相互に接触し、電気的連接を形成する。側部５２は、頂部５１周縁から底台１０方向へと延伸して設置される。しかも、側部５２の、頂部５１に相対する一端は、取り囲んで底部開口５３を形成する。底台１０と頂蓋５０との間には、収容設置空間７０を取り囲んで形成する。これにより、回路基板２０、電気連接部材３０及び発光パーツ４０は、収容設置空間７０中に固定して設置される。
【００２５】
図５に示す通り、側部５２内面の、底部開口５３に近い片側には、複数の凸ブロック５２１を設置する。各凸ブロック５２１中には、係合槽５２２をそれぞれ設置する（図４参照）。係合槽５２２と底台１０の係合部材１５１とは、形状、位置が相互に対応する。これにより、底台１０と頂蓋５０とは、相互に係合して固定され、分離は容易でない。
【００２６】
さらに図２に示す通り、頂蓋５０の側部５２内面には、さらに複数の突片５４を設置する。複数の突片５４は、側部５２の内面から、収容設置空間７０に向かい突出し、しかも間隔を開けて配列設置される。複数の突片５４間は、間隔を開けて配列され、挿槽５４１を形成する。これにより、電気連接部材３０の突出部３１は、底部開口５３から挿入され挿槽５４１中に進入し、電気連接部材３０の設置と固定を助ける。これにより、電気連接部材３０の弾片３２は、頂蓋５０の中空楔柱５１１の長孔５１１Ａと初歩的位置合わせを行う。こうして、弾片３２は、収容設置空間７０により中空楔柱５１１の長孔５１１Ａに照準を合わせ、頂蓋５０の外部へと突出する。これにより、弾片３２と中空楔柱５１１の長孔５１１Ａとの位置がずれ、弾片３２が頂蓋５０或いは中空楔柱５１１により圧迫されて、収容設置空間７０中に限定され、頂蓋５０の外部へと突出できず、相互に重ねられた高透光発光ブロック間の電力伝送に影響が及ぶことを回避できる。
【００２７】
頂蓋５０の頂部５１の電気連接部材３０に向かう片側には、複数の係合槽５６を陥没状に設置する。係合槽５６内にはさらに、凹孔５６１を設置する。電気連接部材３０の連接部３３の頂蓋５０の頂部５１に向かう片側には、複数の凸片３３１を設置する。凸片３３１の頂蓋５０の頂部５１に向かう片側には、さらに突点３３１Ａを設置する。係合槽５６と凸片３３１の形状、位置は相互に対応し、しかも係合槽５６の凹孔５６１と凸片３３１の突点３３１Ａとは、相互に対応して係合される。これにより、頂蓋５０と電気連接部材３０とは、相互に係合して固定され、同時に電気連接部材３０の弾片３２と頂蓋５０の中空楔柱５１１の長孔５１１Ａとの位置対応をさらに助ける。
【００２８】
図４及び図６に示す通り、各電気連接部材３０の屈折セクション３１１の回路基板２０の電極回路２３に向かった片側には、第一凸点３１１Ａを設置し、しかも第一凸点３１１Ａと電極回路２３とは、相互に接触する。屈折セクション３１１の底台１０に向かう片側には、第二凸点３１１Ｂを設置し、第二凸点３１１Ｂと底台１０とは、相互に接触する。これにより、底台１０を、頂蓋５０の底部開口５３から回路基板２０方向へと取り付けると、電気連接部材３０の屈折セクション３１１は、底台１０と回路基板２０との間に挟んで設置される。しかも、第一凸点３１１Ａと第二凸点３１１Ｂの設置により、底台１０を取り付けると、第二凸点３１１Ｂを圧迫でき、屈折セクション３１１の第一凸点３１１Ａの、回路基板２０上の電極回路２３との相互に接触を助けることができる。こうして、板状電気連接部材定位構造を有する高透光発光ブロックの製造過程で生じるサイズの公差により、電気連接部材３０の屈折セクション３１１が、回路基板２０上の電極回路２３と接触できなくなり、製品の導電性及び歩留りに影響が及ぶことを回避できる。
【００２９】
図７と図８に示す通り、本発明は別に二段式電気連接部材６０を提供する。それは、突出部６１、４個の弾片６２及び連接部６３を有する。弾片６２と連接部６３とは、一体成形の板状構造である。突出部６１は、独立した分解可能な構成部材である。突出部６１の連接部６３に向かった一端には、クリップデバイス６４をさらに設置する。クリップデバイス６４と連接部６３とは、取り外し可能状に挟持して連接され、しかも電気的導通を形成する。
【００３０】
突出部６１が、クリップデバイス６４により連接部６３に設置されると、連接部６３は、突出部６１と４個の弾片６２とを連接する。突出部６１の連接部６３に相対する一端には、同様に屈折セクション６１１を形成する。屈折セクション６１１は、回路基板２０に向かい屈折し、しかも回路基板２０の、底台１０に向かう電極回路２３の一端に密着する。これにより、電極回路２３と屈折セクション６１１とは相互に接触し、しかも電極回路２３と二段式電気連接部材６０とは、相互に電気的に連接する。
【００３１】
突出部６１上には、多数の上方接触部材６５を設置する。上方接触部材６５は、突出部６１上より、突出部６１から離れる方向へと延伸して、突出部６１に突出する。しかも、各二段式電気連接部材６０頂蓋５０の挿槽５４１中に挿入して設置すると、上方接触部材６５は展開し、しかも挿槽５４１の壁面と相互に接触し、図９に示す通り、これにより突出部６１は挿槽５４１中に固定して設置され、滑り落ちにくくなる。
【００３２】
二段式電気連接部材６０の４個の弾片６２及び連接部６３の設置は、電気連接部材３０の４個の弾片３２及び連接部３３と相同である。二段式電気連接部材６０の連接部６３の頂蓋５０の頂部５１に向かう片側には、複数の凸片６３１を設置する。凸片６３１の頂蓋５０の頂部５１に向かう片側には、さらに突点６３１Ａを設置する。頂蓋５０の係合槽５６と凸片６３１の形状、位置は相互に対応し、しかも係合槽５６内の凹孔５６１と凸片６３１の突点６３１Ａとの相互対応係合により、頂蓋５０と二段式電気連接部材６０とは相互に係合して固定され、同時に二段式電気連接部材６０の弾片６２と頂蓋５０の中空楔柱５１１の長孔５１１Ａとの位置対応を助ける。
【００３３】
各二段式電気連接部材６０の屈折セクション６１１の回路基板２０の電極回路２３に向かった片側には、第一凸点６１１Ａを設置し、しかも第一凸点６１１Ａと電極回路２３とは、相互に接触する。屈折セクション６１１の底台１０に向かう片側には、第二凸点６１１Ｂを設置し、第二凸点６１１Ｂと底台１０とは相互に接触する。
これにより、底台１０を、頂蓋５０の底部開口５３から回路基板２０方向へと取り付けると、二段式電気連接部材６０の屈折セクション６１１は、底台１０と回路基板２０との間に挟んで設置される。しかも、第一凸点６１１Ａと第二凸点６１１Ｂの設置により、底台１０を取り付けると、第二凸点６１１Ｂを圧迫できる。こうして、屈折セクション６１１の第一凸点６１１Ａは、回路基板２０上の電極回路２３と相互に接触する。これにより、板状電気連接部材定位構造を有する高透光発光ブロック製造過程で生じるサイズの公差が、二段式電気連接部材６０の屈折セクション６１１と回路基板２０上の電極回路２３との相互接触の障害になり、製品の導電性及び歩留りに影響が及ぶことを回避できる。
【００３４】
本発明による板状電気連接部材定位構造を有する高透光発光ブロックの組み立て方法は、図１０に示す通り、以下のステップを含む。
第一ステップでは、電気連接部材３０を挿入設置する。電気連接部材３０の突出部３１を、頂蓋５０の底部開口５３より、頂蓋５０の側部５２内面の挿槽５４１の延伸方向に沿って、頂蓋５０の頂部５１へと挿入し、頂蓋５０内部に進入させ、しかもこれにより電気連接部材３０の凸片３３１を頂蓋５０の係合槽５６中に挿入して設置する。こうして、電気連接部材３０の凸片３３１上の突点３３１Ａは、係合槽５６内の凹孔５６１中に係合され、これにより電気連接部材３０と頂蓋５０とは相互に係合して固定され、しかも電気連接部材３０の弾片３２は、頂蓋５０の中空楔柱の長孔５１１Ａに突出する。
第二ステップでは、回路基板２０を取り付ける。回路基板２０を、頂蓋５０の底部開口５３から、頂蓋５０内部に挿入設置し、しかもこれにより回路基板２０上の電極回路２３と電気連接部材３０の突出部３１の一端とは、相互に接触し、導電通路を形成する。
第三ステップでは、底台１０を取り付ける。底台１０は、頂蓋５０の底部開口５３から、頂蓋５０の底部開口５３の内縁に挿入して設置される。これにより、回路基板２０、電気連接部材３０は、頂蓋５０内部に封鎖され、同時に、電気連接部材３０の屈折セクション３１１の、底台１０の圧迫を受けての回路基板２０の電極回路２３上への密着を助ける。これにより、回路基板２０と電気連接部材３０とは、確実な電気的連接を形成し、相互に重ねられた板状電気連接部材定位構造を有する高透光発光ブロックはいっしょに発光する。
【００３５】
上記を総合すると、本発明板状電気連接部材定位構造を有する高透光発光ブロック及びその組み立て方法は、頂蓋５０の側部５２内面の複数の突片５４に、挿槽５４１を形成することで、電気連接部材３０の突出部３１は、挿槽５４１中に挿入して設置される。これにより、電気連接部材３０の弾片３２と中空楔柱５１１の長孔５１１Ａとの相互位置対応を助け、弾片３２は中空楔柱５１１に突出し、しかも弾片３２は、上方のもう一つの高透光発光ブロックの電極回路２３に重ねられ、相互に接触して導電する。
【００３６】
本発明はさらに、電気連接部材３０の凸片３３１と頂蓋５０内面に陥没状に設置される係合槽５６の相互対応設置、及び凸片３３１の突点３３１Ａと係合槽５６の凹孔５６１の相互対応設置を利用する。これにより、凸片３３１は、頂蓋５０の係合槽５６中に係合固定され、しかも突点３３１Ａは、凹孔５６１中に係合固定される。こうして、頂蓋５０と電気連接部材３０とは相互に係合して固定され、弾片３２と中空楔柱５１１とは位置が対応する他、電気連接部材３０に設置される弾片３２が、重力により下垂し、中空楔柱５１１に突出できないことを効果的に回避できる。これにより、高透光発光ブロックの組み立て成形時に、各弾片３２はすべて中空楔柱５１１に突出でき、高透光発光ブロックの歩留りを向上させられる。こうして、板状電気連接部材定位構造を有する高透光発光ブロックを積み重ねても回路のショートは起きにくく、高透光発光ブロックの使用においてしばしば生じる回路伝送の問題を効果的に解決できる。
【００３７】
本発明の好ましい実施例の説明にすぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００３８】
１０、９０  底台
１１  底台頂面
１２  底台底面
１３、９１  楔孔
１４  定位柱
１５  欠槽
１５１  係合部材
２０、１００  回路基板
２１  ＬＥＤ取り付け孔
２２  定位孔
２３  電極回路
３０、１３０  電気連接部材
３１、６１  突出部
３１１、６１１  屈折セクション
３１１Ａ、６１１Ａ  第一凸点
３１１Ｂ、６１１Ｂ  第二凸点
３２、６２  弾片
３３、６３  連接部
３３１、６３１  凸片
３３１Ａ、６３１Ａ  突点
４０、１１０  発光パーツ
５０、１２０  頂蓋
５１  頂蓋頂部
５１１、１２１  中空楔柱
５１１Ａ  長孔
５２  頂蓋側部
５２１  凸ブロック
５２２  係合槽
５３  頂蓋底部開口
５４  突片
５４１  挿槽
５６  係合槽
５６１  凹孔
６０  二段式電気連接部材
６４  クリップデバイス
６５  上方接触部材
７０  収容設置空間
【図１】
2017119084.tif 000003
【図２】
2017119084.tif 000004
【図３】
2017119084.tif 000005
【図４】
2017119084.tif 000006
【図５】
2017119084.tif 000007
【図６】
2017119084.tif 000008
【図７】
2017119084.tif 000009
【図８】
2017119084.tif 000010
【図９】
2017119084.tif 000011
【図１０】
2017119084.tif 000012
【図１１】
2017119084.tif 000013
【図１２】
2017119084.tif 000014